(57)【要約】【課題】ドライバーやスパナ等の工具を使用することなく簡単に組立・分解できる室内空間を間仕切る空間間仕切用フレームの提供。【解決手段】断面が略正四角形の柱と、柱と柱を連結する幕板とで構成される、室内空間を間仕切り新たな空間を作る木製の間仕切用フレームについて、幕板の両端面にショルダースクリュ−を端面に垂直にねじ込み、柱の側面上下部分にスライドクリップを取り付け、幕板にねじ込んだショルダースクリュ−の頭部をスライドクリップに挿入して柱と幕板を接合することにより、柱と柱が幕板で連結され簡単に組み立てられることができる。【選択図】図１
2015021316.tif 000002
【特許請求の範囲】
【請求項１】
断面が略正四角形の柱と、柱と柱を連結する幕板とで構成される、室内空間を間仕切り新たな空間を作る木製の間仕切用フレームについて、幕板の両端面にショルダースクリュ−を端面に垂直にねじ込み、柱の側面上下部分にスライドクリップを取り付け、幕板にねじ込んだショルダースクリュ−の頭部をスライドクリップに挿入して柱と幕板を接合することにより、柱と柱が幕板で連結され組み立てられる空間間仕切用フレーム。
【請求項２】
柱の上下部分の４つの側面の全てにスライドクリップを取り付けた中央柱、３つの側面にスライドクリップを取り付けた壁柱、相対する２つの側面にスライドクリップを取り付けた延長柱、隣り合う２つの側面にスライドクリップを取り付けた角柱を組み合わせ、これらの柱を幕板で連結して組み立てられる複数の新たな空間を作る請求項１の空間間仕切用フレーム。
【請求項３】
隣り合う側面にスライドクリップを取り付けた４本の角柱と幕板とを連結して組み立てられる略立方形又は直方形の請求項１あるいは請求項２のいずれかの空間間仕切用フレーム。
【請求項４】
柱の上端面に、蚊帳の吊りひも等を掛けるための突起物を付ける請求項１から請求項３のいずれかの空間間仕切用フレーム
【請求項５】
請求項１から請求項４の空間間仕切用フレームの壁面あるいは天井面と壁面に、ベニヤ板、カーテン、蚊帳等を張り、個別の空間とする空間間仕切用フレームを利用する部屋。
【請求項６】
出入口になる壁面では、その壁面の下部の幕板を外した請求項５の空間間仕切用フレームを利用する部屋。
【発明の詳細な説明】
【技術分野】
【０００１】
本発明は、室内空間内を間仕切り、新たな空間を手軽に造ることができる空間間仕切用フレームとその組立方法に関する。
【背景技術】
【０００２】
本発明者は、合板・パーティクルボード・化粧プリント材等の木製二次製品の委託加工及び家具、キッチン、下駄箱等に必要とされる各部材の製造販売を、その居住地域で業として行っている。
数年前に同地域で寝具店(以下、寝具店とする。)を運営する代表者(以下、寝具店代表者とする。)から現在の建築様式では、部屋に釘を打つ場所がないので、蚊帳を吊ることができず、蚊帳を吊る柱を作ってほしいとの依頼があった。当初は、角材の下部に底板・側板をボルトで取り付け、スタンド式の１本柱を４本作り、底板の上にベッドを載せればその荷重で柱が蚊帳の張力に負けないとも考えられたが、ベッドを柱の底板に載せ、4本の柱間に上下の幕板を組み付ける必要があり、家庭内でこの作業を行うことには無理があると思われた。次に１本の柱で床と天井で垂直に突っ張れる柱を試作し、これを自宅で２本立て、突っ張った状態でハンモックを吊り大人の使用に十分耐えることが分かったが、天井の状態や木の欠点である反りのため垂直を維持することが難しく、安全性を考え、その生産には至らなかった。
【０００３】
更に、寝具店代表者が、デザイン会社に依頼し、蚊帳のフレームを試作した。このフレームは、角の接合部に金属で縦・横・高さ方向に管が溶接してあり、その管の中に加工を施した角材を挿入しボルトで連結して組み立て・分解するフレームであったが、組立に２時間以上もかかり、寝具店代表者も顧客にこれを勧めることはできず、販売することは断念した。
【０００４】
このような経過において、ユーザーが、柱と幕板を簡単に組立・分解できる木製フレームはないか思案し、ほぞ継ぎ手、蟻継ぎ手等の各継ぎ手について試作したが、女性でも短時間に簡単に組立・分解できる方法は見つからなかった。その後あきらめかけていたが、柱と幕板とを金具で接合することを思いつき、工具店に通い、適切な接合金具を選択し、これを使用して試作した結果、簡単に組立・分解できる蚊帳を吊るフレームを作ることができた。そして、この蚊帳を吊るフレームは、蚊帳を吊るだけでなく、室内空間を間仕切ることができ、例えば避難所内でプライバシーを守るため、あるいは体育館内で更衣室を設けるため、このフレームにベニヤ板やカーテン等を付けて使用できることに気付き本発明をするに至った。
【０００５】
室内空間を間仕切る方法等に関する直接的な先行技術は検索した範囲では見当たらない。しかし、関連する先行技術としては以下のようなものがある。従来よりも設置作業および撤去作業が容易な間仕切壁として、間仕切壁は、天井側および床側に対して平行な位置関係となるように一対の横木を固定し、その横木間に挟まれた位置で両横の壁側に縦木を固定し、横木および縦木で囲まれた空間に、３枚の主パネルと２枚の補助パネルを配置し、これら主パネルおよび補助パネルの周縁を板材で挟み込んで固定した構造とするもの（特許文献１）、簡単に展開・収納可能な組立式カーテンとして、横フレームの先端は薄肉部とされており、取付穴が設けられ、取付穴は縦フレームの小径部が挿通可能な大きさとされており、小径部を取付穴に挿通させることで横フレームを水平方向に位置決めする組立式カーテン（特許文献２）、独立構造型の移動式間仕切りパネルが、固定壁なし構造のオフィス空間に供給される方法として、各パネルは、対向する両側端に隣接して配設された二本の直立材を有するスケルトン状のフレームを備え、足部がフレームの底部からフロア表面まで下方に延在し、二対の水平縦桁が、相互に垂直方向に間隔を開けて直立材の外部表面上に取り付けられ、これらの間に二つの水平配線管用空洞を備え、カバー・パネルが両縦桁の間に配設されたフレーム側面の少なくとも空洞部分を密閉している移動式間仕切りパネル（特許文献３）、建物ユニットは３本の柱と１本の取り外し可能な仮柱を備えており、隣接配置された建物ユニットの間に形成された隙間に、門型の補強体が挿入されて固定されるようになっているユニット建物（特許文献４）等がある。
【先行技術文献】
【特許文献】
【０００６】
【特許文献１】特開平１１−７１８４５号公報
【特許文献２】特開２０１０−２５９５７６号公報
【特許文献３】特表平１０−５１２０２６号公報
【特許文献４】特開２００７−２６２７２５号公報
【０００７】
これらの先行技術を検討すると、特許文献１は、空間を間仕切る間仕切壁の発明であり、設置作業および撤去作業が容易といっても、構造が複雑であり素人ではなくいわゆる職人の手を必要とするものであり、特許文献２は、組立式カーテンに係る発明であり、構造は複雑であり、組立には人手を多く要する。特許文献３の発明は、オフィス空間等に利用される本格的な移動式間仕切りパネルであり、高価で構造は複雑であり、組立には人手を多く要する。また、特許文献４はユニット建物に係る発明であり、室内を間仕切るフレームとは異なる。上記いずれの発明も組立作業においては、人手を多く必要とし、家庭の主婦のような素人が簡単に組立・分解できるものではない点で共通する。
【発明の概要】
【発明が解決しようとする課題】
【０００８】
本発明の解決しようとする課題は、ドライバーやスパナ等の工具を使用することなく簡単に組立・分解できる室内空間を間仕切る空間間仕切用フレームの提供である。
【課題を解決するための手段】
【０００９】
本発明は、金属製の接合部品を用いることにより、工具を使用することなく、簡単に組立・分解できる空間間仕切用フレームを作るものである。
【００１０】
すなわち、第１発明は、断面が略正四角形の柱と、柱と柱を連結する幕板とで構成される、室内空間を間仕切り新たな空間を作る木製の間仕切用フレームについて、幕板の両端面にショルダースクリュ−を、端面に垂直にねじ込み、柱の側面上下部分にスライドクリップを取り付け、幕板にねじ込んだショルダースクリュ−の頭部をスライドクリップに挿入して柱と幕板を接合することにより、柱と柱が幕板で連結され組み立てられる空間間仕切用フレームである。
【００１１】
本願は、室内空間を更に間仕切り新たな空間を作る木製のフレームについて、手軽に組立・分解できる空間間仕切用フレームを提供するものである。空間間仕切用フレームとしたのは、本願はフレーム換言すれば骨組みを提供するためである。
図１に簡単な空間間仕切用フレームの各部の名称を示す。柱２の断面は、略正四角形とし、幕板３の端面３３は略長方形とし、柱、幕板３の長さ及び断面積は、室内空間を間仕切り必要とする新たな空間の大きさにより決められる。
【００１２】
柱２の上下部分とは、床に対し垂直に柱を立てたとき、床に近い部分を下部分、天井に近い部分を上部分とする。柱の側面上下部分としたのは、柱の最下端、最上端ではなく、幕板３を柱２に連結したとき柱２の動きが安定する部分であることをいうためである。柱２の上下部分の側面２１には、スライドクリップ５を取り付け、幕板３の両端面３３にショルダースクリュ−６を端面に垂直にねじ込む。市販品のスライドクリップとショルダースクリュ−の例を図２、３に示すが、これらに限定するものではなく、同様の機能を有していれば足りる。ショルダースクリュ−ル６のネジ頭をスライドクリップ５の挿入孔５２に挿入し、スライドさせスライドクリップ５のストッパー５３の最下部まで持っていく。ショルダースクリュ−６のネジ部６１とネジ止６２の間にスライドクリップ５のストッパー５３が入り、スライドクリップ５とショルダースクリュ−６が接合する。幕板３の自重により、柱２と幕板３の連結は安定する。ショルダースクリュ−６は、幕板３の両端面３３に垂直にねじ込まれているため、柱２と幕板３は、略垂直に連結される。尚、スライドクリップ５とショルダースクリュ−ル６には、各種の市販品がある。
【００１３】
続いて、第２発明は、柱の上下部分の４つの側面の全てにスライドクリップを取り付けた中央柱、３つの側面にスライドクリップを取り付けた壁柱、相対する２つの側面にスライドクリップを取り付けた延長柱、隣り合う２つの側面にスライドクリップを取り付けた角柱を組み合わせ、これらの柱を幕板で連結して組み立てられる複数の新たな空間を作る第１発明の空間間仕切用フレームである。
【００１４】
柱２は、その断面が略正四角形であり、その側面２１は４面ある。全ての柱に、４面全てにスライドクリップ５を取り付ける必要はなく、用途に応じ決められた側面に取り付ければよい。隣り合う２つの側面とは、柱の角を中心として隣り合う側面をいい、相対する２つの側面とは異なる。図４に、中央柱２２、壁柱２３、延長柱２４、角柱２５を示す。図５に室内空間に応じた間仕切りの平面図の例を示す。図５では、延長柱２４は使用していないが、その他の柱を使用し、縦・横の幕板の長さを変えて、間仕切空間を直方形とした多数の間仕切り空間を作っている。
【００１５】
続いて、第３発明は、隣り合う側面にスライドクリップを取り付けた４本の角柱と幕板とを連結して組み立てられる略立方形又は直方形の第１発明あるいは第２発明のいずれかの空間間仕切用フレームである。
【００１６】
本発明は前述のように、蚊帳を吊る柱を作ってほしいとの依頼から始められたものである。蚊帳は一般的には、４本の柱でできた正方形あるいは長方形の４角の柱の上方に吊るものであり、安眠、エアコンからの風を直接受けることを避ける等のために使用され、蚊帳の中にベッドを入れている例も見受けられる。第３発明では、こうした要請に沿うものであり、寝室等に手軽に別空間を作るものである。図４の角柱２５を使用するものである。当然ではあるが、幕板の長さを同じにすれば、立方形、縦横の長さを変えれば直方体の空間となる。図１は、第３発明の例である。
【００１７】
続いて第４発明は、柱の上端面に、蚊帳の吊りひも等を掛けるための突起物を付ける第１発明から第３発明のいずれかの空間間仕切用フレームである。
【００１８】
突起物は、ダボとも呼ばれ、蚊帳の吊りひもやカーテンレールを付けるときには便利である。円柱形のダボは市販され、これを柱の上端面に接着することもできるが、方法は問わない。また円柱形に限るものではない。
【００１９】
続いて第５発明は、第１発明から第４発明の空間間仕切用フレームの壁面あるいは天井面と壁面に、ベニヤ板、カーテン、蚊帳等を張り、個別の空間とする空間間仕切用フレームを利用する部屋である。
【００２０】
本願は、空間間仕切用フレームに係る発明であり、室内空間に組み立てられても骨組みだけであり、内部は全て見通すことができる。これでは、プライバシーを守ることができない。避難所等で空間間仕切用フレームを使用する場合、図１の床に垂直な壁面１１あるいは床に平行な天井面１２に、視界を遮るために、ベニヤ板、カーテン等の何らかの遮蔽物が必要であり、この遮蔽物により部屋が区分けされる。また蚊帳によっても視界が完全に遮られるものではないが、別空間が作られる。第５発明は、空間間仕切用フレームを利用し作られる部屋を保護対象とするものである。
【００２１】
続いて、第６発明は、出入口になる壁面では、その壁面の下部の幕板を外した第５発明の空間間仕切用フレームを利用する部屋である。
【００２２】
出入口での下部の幕板は、歩行の障害となり、車椅子では通ることができない。また、蚊帳の中にベッドを移動するより、ベッドに向けてこの空間間仕切用フレームを移動し蚊帳を吊る方が作業しやすい。そのため、出入口での下部の幕板は外しておくことが好ましい。そこで、第６発明では、壁面の下部の幕板を外した空間間仕切用フレームを利用した部屋を、第５発明と同様に、保護対象とするものである。
【発明の効果】
【００２３】
第１発明は、ドライバーやスパナ等の工具を使用することなく、素人でも簡単に組立・分解できる空間間仕切用フレームを提供するものであり、第２発明では、空間間仕切用フレームを用い、複数の新たな空間を作ることができる。また、第３発明では、立方形あるいは直方形の新たな空間を作ることができる。第４発明では、柱の上端面の突起物にカーテンレールや蚊帳のひもを引っ掛けることができ空間間仕切用フレームを利用しやすくなる。第５発明、第６発明では、空間間仕切用フレームを利用し、室内空間を間仕切りして新たな空間を作った後この新たな空間を部屋として用いることが可能となる。
【図面の簡単な説明】
【００２４】
【図１】図１は、空間間仕切用フレームとその名称を示す。
【図２】図２は、各種スライドクリップとその部位の名称を示す。（インターネット記事より引用。）
【図３】図３は、各種ショルダースクリュ−とその部位の名称を示す。（インターネット記事より引用。）
【図４】図４は、柱の種類の平面図とその名称を示す。
【図５】図５は、室内空間に応じた間仕切りの例の平面図である。
【図６】図６は、４本の柱にスライドクリップを取り付けた図である。
【図７】図７は、柱と幕板の図である。
【図８】図８は、柱と幕板の連結図である。
【図９】図９は、空間間仕切用フレームの図である。
【発明を実施するための形態】
【００２５】
本願の実施例を以下に示す。
【実施例１】
【００２６】
図６は、４本の柱２の側面２１にネジ孔５１により、スライドクリップ５が取り付けられ、柱２の上端面２６には突起物４が付けられている。使用されているスライドクリップ５は挿入孔５２が２つある。図７は、柱２と幕板３の図である。幕板３の端面３３には、端面に略垂直にショルダースクリュ−ル６がネジ止６２までネジ部６１がねじ込まれる。スライドクリップ５は挿入孔５２が２つあるため、挿入孔５２の間隔に合わせ、ショルダースクリュ−ル６は、２本幕板３にねじ込まれている。図８は、スライドクリップ５にショルダースクリュ−ル６を接合し、柱２と幕板３を連結した部分図である。使用により柱２と幕板３の間に隙間いわゆるガタが生ずる場合があるが、ショルダースクリュ−ル６を更にねじ込むことにより解消される。
【実施例２】
【００２７】
図９は、第３発明の試作品の空間間仕切用フレームの図である。固定されているベッドにこの空間間仕切用フレームを移動するため、出入口の下部幕板３２は外され、柱２の下端面にはキャスター７が付けられている。
【産業上の利用可能性】
【００２８】
室内空間に簡単に別空間を作ることができ遮蔽物を張ることにより、個室とすることも可能である。女性でも組立・分解でき、安価であることから、需要が期待できる。
【符号の説明】
【００２９】
１  空間間仕切用フレーム  １１  壁面  １２  天井面
２  柱  ２１  柱の側面  ２２  中央柱  ２３  壁柱  ２４  延長柱  
２５  角柱  ２６  柱の上端面
３  幕板  ３１  上部幕板  ３２  下部幕板  ３３  幕板端面
４  突起物（ダボ）
５  スライドクリップ  ５１  ネジ孔  ５２  挿入孔  ５３  ストッパー
６  ショルダースクリュ−  ６１  ネジ部  ６２  ネジ止  ６３  ネジ頭
７キャスター
【図１】
2015021316.tif 000003
【図２】
2015021316.tif 000004
【図３】
2015021316.tif 000005
【図４】
2015021316.tif 000006
【図５】
2015021316.tif 000007
【図６】
2015021316.tif 000008
【図７】
2015021316.tif 000009
【図８】
2015021316.tif 000010
【図９】
2015021316.tif 000011